(57)【要約】【課題】補強板や梁などが壁面から出ている場合でも、別部品を使用することなく壁面と本体の隙間をなくして設置できるレンジフードを提供することを目的とする。【解決手段】加熱調理機器１の上部に設置され、調理時に発生する油煙２や臭いを屋外へ排気する送風機ユニットと前記送風機ユニットを覆うフード部５とを備えた本体６と、前記本体６を壁面に固定するためのＬ字の取付金具８を有し、取付金具８の本体固定穴を縦方向の長穴にし、前記取付金具８の固定位置を前後方向に調整が可能にするとしたことにより、補強板や梁などが壁面から出ている場合、取付金具８の位置を補強板や梁の厚み分前後にずらして固定することにより、補強板や梁を避けて本体６を簡単に壁面に設置することができるため、別部品を使用することなく壁面と本体６の隙間をなくして設置できるレンジフードを得られる。【選択図】図１
2015068536.tif 000002
【特許請求の範囲】
【請求項１】
加熱調理機器の上部に設置され、調理時に発生する油煙や臭いを屋外へ排気する送風機ユニットと前記送風機ユニットを覆うフード部とを備えた本体と、前記本体を壁面に固定するためのＬ字の取付金具を有し、前期取付金具の本体固定穴を縦方向の長穴にし、前記取付金具の固定位置を前後方向に調整が可能にすることを特徴とするレンジフード。
【請求項２】
Ｌ字型の取付金具の壁面側の取付け穴の形状を横長にした壁面取付穴を備え、前記本体の固定位置を壁面に沿って左右方向に微調整が可能にすることを特徴とする請求項１に記載のレンジフード。
【請求項３】
Ｌ字型の取付金具の一方が他方よりも長い長手側を設け、前期長手側には多数の壁面取付穴を有していることを特徴とする請求項１または２に記載のレンジフード。
【請求項４】
Ｌ字の取付金具の壁面側である取付金具の長手側に本体固定穴を設け、本体取付側である短い側には壁面固定用の壁面取付穴を設け、長手側、短い側に設けた本体固定穴とＬ字の取付金具の曲げ部頂点との各々の距離が等距離であることを特徴とする請求項１、２または３に記載のレンジフード。
【発明の詳細な説明】
【技術分野】
【０００１】
本発明は、レンジフードの取り付け方に関するものである。
【背景技術】
【０００２】
従来、この種のレンジフードは、キャビネットの下面などとの位置合わせを行うフードの設置姿勢を調整する調整機能を持ったものが知られている（例えば、特許文献１参照）。
【０００３】
以下、そのレンジフードについて図４を参照しながら説明する。
【０００４】
図４示すように、壁面１０１にレンジフード１０２を保持させる保持装置１０３であって、保持装置１０３は、壁面１０１に取り付けられる壁取付部材１０４と、壁取付部材１０４に一端側が取り付けられ、他端側がレンジフード１０２に取り付けられる連結部材１０５とを備えて構成され、さらに、壁取付部材１０４と連結部材１０５との両部材に、レンジフード１０２の設置姿勢を調整する調整兼連結手段を備え、かつ、壁取付部材１０４には壁面１０１に取り付けられるフード部１０６の一辺縁側を固着保持させる固着辺部１０７を備えている。
【先行技術文献】
【特許文献】
【０００５】
【特許文献１】特開２０１１−１３７６１４号公報
【発明の概要】
【発明が解決しようとする課題】
【０００６】
このような従来のレンジフードにおいては、例えば補強板や梁などが壁面から出ている場合、そのまま本体を設置すると本体が壁面から浮いてしまうため、別部品で壁面と本体の間を埋めなければならないというという課題を有していた。
【０００７】
そこで本発明は、上記従来の課題を解決するものであり、補強板や梁などが壁面から出ている場合でも、別部品を使用することなく壁面と本体の隙間をなくして設置できるレンジフードを提供することを目的とする。
【課題を解決するための手段】
【０００８】
そして、この目的を達成するために、本発明は、加熱調理機器の上部に設置され、調理時に発生する油煙や臭いを屋外へ排気する送風機ユニットと前記送風機ユニットを覆うフード部とを備えた本体と、前記本体を壁面に固定するためのＬ字の取付金具を有し、前期取付金具の本体固定穴を縦方向の長穴にし、前記取付金具の固定位置を前後方向に調整が可能にするとしたものであり、これにより所期の目的を達成するものである。
【発明の効果】
【０００９】
本発明によれば、加熱調理機器の上部に設置され、調理時に発生する油煙や臭いを屋外へ排気する送風機ユニットと前記送風機ユニットを覆うフード部とを備えた本体と、前記本体を壁面に固定するためのＬ字の取付金具を有し、前期取付金具の本体固定穴を縦方向の長穴にし、前記取付金具の固定位置を前後方向に調整が可能にするという構成にしたことにより、例えば補強板や梁などが壁面から出ている場合、取付金具の位置を補強板や梁の厚み分前後にずらして固定することにより、補強板や梁を避けて本体を簡単に壁面に設置することができるため、別部品を使用することなく壁面と本体の隙間をなくして設置できるという効果を得ることができる。
【図面の簡単な説明】
【００１０】
【図１】本発明の実施の形態１のレンジフードの設置状態を示す正面図
【図２】同レンジフードの設置状態を示す側面図
【図３】同レンジフードの取付金具を示す斜視図
【図４】従来のレンジフードの取り付け状態を示す正面図
【発明を実施するための形態】
【００１１】
本発明の請求項１記載のレンジフードは、加熱調理機器の上部に設置され、調理時に発生する油煙や臭いを屋外へ排気する送風機ユニットと前記送風機ユニットを覆うフード部とを備えた本体と、前記本体を壁面に固定するためのＬ字の取付金具を有し、前期取付金具の本体固定穴を縦方向の長穴にし、前記取付金具の固定位置を前後方向に調整が可能にする、という構成を有する。
【００１２】
これにより、取付金具を本体固定穴の長穴の長さ分前後にずらし固定することができるため、補強板や梁などが壁面から出ている場合、取付金具の位置を補強板や梁の厚み分前後にずらして固定することにより、補強板や梁を避けて本体を簡単に壁面に設置することができるため、別部品を使用することなく壁面と本体の隙間をなくして設置できるという効果を奏する。
【００１３】
またＬ字型の取付金具の壁面側の取付け穴の形状を横長にした壁面取付穴を備え、前記本体の固定位置を壁面に沿って左右方向に微調整が可能にする、という構成をにしてもよい。
【００１４】
これにより、例えばリフォームでレンジフード本体を壁面に固定する時に、補強板に空けられた元の設置穴を利用して設置すると固定強度が弱くなるため、元の設置穴から左右のどちらか一方にずらして本体を仮固定し、壁面取付穴が横長であることから、仮固定でずらした分本体を横移動させて固定することができるため、元からある補強板を利用して強度も問題のない設置ができるという効果を奏する。
【００１５】
また、Ｌ字型の取付金具の一方が他方よりも長い長手側を設け、前期長手側には複数の壁面取付穴を有している、という構成にしてもよい。
【００１６】
これにより、多数の壁面取付穴のいずれかが壁面の梁のある位置に合い、固定することとなるので、壁面の梁のある位置に容易に本体を固定することができる（補強工事をする必要性が減少する）、という効果を奏する。
【００１７】
また、Ｌ字の取付金具の壁面側である取付金具の長手側に本体固定穴を設け、本体取付側である短い側には壁面固定用の壁面取付穴を設け、長手側、短い側に設けた本体固定穴とＬ字の取付金具の曲げ部頂点との各々の距離が等距離であるという構成にしてもよい。
【００１８】
これにより、取付金具の向きを逆すなわち短い側を壁面側にすることで、天井１４の高さが低い場合にも容易に本体を壁面に固定することができる、という効果を奏する。
【００１９】
以下、本発明の実施の形態について図面を参照しながら説明する。
【００２０】
（実施の形態１）
図に示すように、ガスやＩＨである加熱調理機器１のコンロ（図示せず）上部に設置され、調理時に発生する油煙２や臭いを屋外３へ排気するシロッコファン１５とシロッコファン１５を制御するＤＣモーター１６とで構成した送風機ユニット４と、送風機ユニット４の下方を覆うフード部５とを備えた本体６と、本体６を壁面７に固定するためのＬ字の取付金具８を有し、取付金具８の本体固定穴１０を縦方向の長穴にし、前記取付金具８の固定位置を前後方向に調整が可能にするという構成を有する。
【００２１】
これにより、取付金具８を本体固定穴１０の長穴の長さ分使用者に対して前後にずらし固定することとなる。
【００２２】
よって、取付金具８を前後にずらすことができるので、補強板（図示せず）や梁１７などが壁面７から出ている場合、取付金具８の位置を補強板や梁１７の厚み分前後にずらして固定することにより、補強板や梁１７を避けて本体６を簡単に壁面７に設置することができるため、別部品を使用することなく壁面７と本体６の隙間をなくして設置できるという効果を奏する。
【００２３】
また、Ｌ字型の取付金具８の壁面７側の壁面取付穴９を本体６の固定位置を横方向に微調整が可能な横長にする、という構成にする。なお、１例として壁面取付穴９の穴の形状は、だるま状で穴の上部が横長である。
【００２４】
これにより、本体６を壁面取付穴９の横長の穴の長さ分壁面７に沿って左右方向にずらすこととなる。
【００２５】
よって、リフォームでレンジフードの本体６を壁面７に固定する時に補強板に空けられた元の設置穴を利用して設置すると固定強度が弱くなるため、元の設置穴から左右のどちらか一方にずらして本体６を仮固定し、壁面取付穴９が横長であることから、仮固定でずらした分本体６を横移動させ固定することができるため、元からある補強板を利用して強度も問題のない設置ができるという効果を奏する。
【００２６】
また、Ｌ字型の取付金具８の一方が他方よりも長い（ここでは約２倍）長手側１１を設け、長手側１１には複数の（ここでは２個）壁面取付穴９を有している、という構成にする。
【００２７】
これにより、長手側１１に設けられた複数の壁面取付穴９のいずれかが壁面７の梁（図示せず）のある位置に合い、固定することとなるので、壁面７の梁のある位置に容易に本体６を固定することができる（補強工事をする必要性が減少する）、という効果を奏する。
【００２８】
また、Ｌ字の取付金具８の壁面７側である取付金具８の長手側１１に本体固定穴１０を設け、本体取付側である短い側１３には壁面固定用の壁面取付穴９を設け、長手側１１、短い側１３に設けた本体固定穴１０とＬ字の取付金具の曲げ部頂点１２との各々の距離ＡとＡ´およびＢとＢ´が等距離であるという構成にする。
【００２９】
これにより、取付金具８の向きを逆すなわち短い側１３を壁面７（図２参照）側にすることで、天井１４の高さが低い場合にも容易に本体６を壁面７に固定することができる、という効果を奏する。
【産業上の利用可能性】
【００３０】
本発明にかかるレンジフードは、補強板や梁などが壁面から出ている場合でも、別部品を使用することなく壁面と本体の隙間をなくして設置できることで、設置を容易にするものに有用である。
【符号の説明】
【００３１】
１  加熱調理機器
２  油煙
３  屋外
４  送風機ユニット
５  フード部
６  本体
７  壁面
８  取付金具
９  壁面取付穴
１０  本体固定穴
１１  長手側
１２  曲げ部頂点
１３  短い側
１４  天井
１５  シロッコファン
１６  ＤＣモーター
１７  梁
【図１】
2015068536.tif 000003
【図２】
2015068536.tif 000004
【図３】
2015068536.tif 000005
【図４】
2015068536.tif 000006